(57)【要約】【課題】  移動用ケーブルに容易に取付可能な移動用ケーブル保護管を提供する。【解決手段】  変形自在な管状で、軸方向に沿って開口部２１が形成された管本体２と、開口部２１を開閉自在に塞ぐ開閉部材３と、を備え、移動用ケーブル１００を開閉部材３から押し込むことで、開閉部材３が開いて移動用ケーブル１００が開口部２１を介して管本体２内に挿入され、挿入された状態では開閉部材３によって開口部２１が塞がれるようになっている。【選択図】  図２
2015061452.tif 000002
【特許請求の範囲】
【請求項１】
仮設される移動用ケーブルを保護する移動用ケーブル保護管であって、
変形自在な管状で、軸方向に沿って開口部が形成された管本体と、
前記開口部を開閉自在に塞ぐ開閉部材と、を備え、
前記移動用ケーブルを前記開閉部材から押し込むことで、前記開閉部材が開いて前記移動用ケーブルが前記開口部を介して前記管本体内に挿入され、挿入された状態では前記開閉部材によって前記開口部が塞がれる、
ことを特徴とする移動用ケーブル保護管。
【請求項２】
請求項１に記載の移動用ケーブル保護管を前記移動用ケーブルに取り付けるための、移動用ケーブル保護管の取付装置であって、
回転自在で、前記移動用ケーブル保護管を軸方向に送る第１のローラと、
回転自在で、前記第１のローラと並列に配設され、前記第１のローラとの間に挿入された前記移動用ケーブルを前記開閉部材から前記移動用ケーブル保護管内に押し込みながら、軸方向に送る第２のローラと、
を備えることを特徴とする移動用ケーブル保護管の取付装置。
【請求項３】
前記第１のローラと前記第２のローラとの距離が調整自在となっている、
ことを特徴とする請求項２に記載の移動用ケーブル保護管の取付装置。
【請求項４】
請求項１に記載の移動用ケーブル保護管を前記移動用ケーブルに取り付けるための、移動用ケーブル保護管の取付方法であって、
並列に配設した第１のローラと第２のローラとの間に、前記移動用ケーブル保護管と前記移動用ケーブルとを挿入し、前記第１のローラと前記第２のローラとを回転させて前記移動用ケーブルを前記開閉部材から前記移動用ケーブル保護管内に押し込みながら、前記移動用ケーブル保護管と前記移動用ケーブルとを軸方向に送る、
ことを特徴とする移動用ケーブル保護管の取付方法。
【発明の詳細な説明】
【技術分野】
【０００１】
この発明は、仮設される移動用ケーブルを保護する移動用ケーブル保護管および、この移動用ケーブル保護管を移動用ケーブルに取り付けるための取付装置と取付方法に関する。
【背景技術】
【０００２】
例えば、電力会社においては、事故や災害によって電力用機器に損傷が生じた場合、仮復旧用として移動用電力ケーブルを敷設、仮設し、電力・電気のバイパス回路を設けている。すなわち、ケーブルドラムから移動用電力ケーブルを引き出し、床に配設したローラの上を滑らせるようにして移動用電力ケーブルを敷設する。また、移動用電力ケーブルを長期間にわたって敷設する場合、移動用電力ケーブルが損傷するのを防止するために、移動用電力ケーブルを保護する保護材を取り付けている。すなわち、木板で箱・筒を作成し、この木箱の中に移動用電力ケーブルを挿入して、移動用電力ケーブルを保護する。
【０００３】
一方、架設されたケーブルにケーブル保護管を容易に装着可能にする、という取付補助具が知られている（例えば、特許文献１参照。）。この取付補助具は、ケーブルの周囲を取り囲むように形成された補助管と、補助管の外周面に立設されケーブル保護管をケーブルへと案内する１対のガイド部とを備える。そして、ガイド部に沿うようにケーブル保護管を挿入し、このケーブル保護管を斜めに押し込むだけでケーブル保護管のスリットを拡開することができ、ケーブル保護管をケーブルに向かってスライド移動させると、スリットを介してケーブル保護管をケーブルに装着できる、というものである。
【先行技術文献】
【特許文献】
【０００４】
【特許文献１】特開２０１１−０３０３３７号公報
【発明の概要】
【発明が解決しようとする課題】
【０００５】
ところで、移動用電力ケーブルを数十ｍに及んで敷設する場合があり、このような長い移動用電力ケーブルに対して木板で木箱を作成するには、多大な労力と時間、費用を要する。しかも、この木箱の釘などによって移動用電力ケーブルの外被を損傷させるおそれがあり、さらに、劣化や損傷によって木箱・木板を再利用できないため、移動用電力ケーブルの撤去後に木箱・木板を産業廃棄物として処理しなければならず、さらに費用等を要する。
【０００６】
一方、上記の特許文献１に記載の取付補助具は、既に架設されているケーブルに適しており、新たに敷設しようとするケーブルに対して適用することは困難である。
【０００７】
そこでこの発明は、移動用ケーブルに容易に取付可能な移動用ケーブル保護管および、この移動用ケーブル保護管を容易に移動用ケーブルに取付可能にする取付装置と取付方法を提供することを目的とする。
【課題を解決するための手段】
【０００８】
上記課題を解決するために、請求項１の発明は、仮設される移動用ケーブルを保護する移動用ケーブル保護管であって、変形自在な管状で、軸方向に沿って開口部が形成された管本体と、前記開口部を開閉自在に塞ぐ開閉部材と、を備え、前記移動用ケーブルを前記開閉部材から押し込むことで、前記開閉部材が開いて前記移動用ケーブルが前記開口部を介して前記管本体内に挿入され、挿入された状態では前記開閉部材によって前記開口部が塞がれる、ことを特徴とする。
【０００９】
この発明によれば、移動用ケーブルを開閉部材から押し込むことで、移動用ケーブルが管本体内に挿入され、移動用ケーブル保護管が移動用ケーブルに取り付けられる。また、移動用ケーブルが管本体内に挿入された状態では、開閉部材によって開口部が塞がれて、移動用ケーブルが外部に露出しない。
【００１０】
請求項２の発明は、請求項１に記載の移動用ケーブル保護管を前記移動用ケーブルに取り付けるための、移動用ケーブル保護管の取付装置であって、回転自在で、前記移動用ケーブル保護管を軸方向に送る第１のローラと、回転自在で、前記第１のローラと並列に配設され、前記第１のローラとの間に挿入された前記移動用ケーブルを前記開閉部材から前記移動用ケーブル保護管内に押し込みながら、軸方向に送る第２のローラと、を備えることを特徴とする。
【００１１】
この発明によれば、第１のローラによって移動用ケーブル保護管が軸方向に送られ、第２のローラによって移動用ケーブルが、開閉部材から移動用ケーブル保護管内に押し込まれながら軸方向に送られる。これにより、移動用ケーブルが移動用ケーブル保護管内に挿入され、移動用ケーブル保護管が移動用ケーブルに取り付けられる。
【００１２】
請求項３の発明は、請求項２に記載の取付装置において、前記第１のローラと前記第２のローラとの距離が調整自在となっている、ことを特徴とする。
【００１３】
請求項４の発明は、請求項１に記載の移動用ケーブル保護管を前記移動用ケーブルに取り付けるための、移動用ケーブル保護管の取付方法であって、並列に配設した第１のローラと第２のローラとの間に、前記移動用ケーブル保護管と前記移動用ケーブルとを挿入し、前記第１のローラと前記第２のローラとを回転させて前記移動用ケーブルを前記開閉部材から前記移動用ケーブル保護管内に押し込みながら、前記移動用ケーブル保護管と前記移動用ケーブルとを軸方向に送る、ことを特徴とする。
【発明の効果】
【００１４】
請求項１の発明によれば、移動用ケーブルを開閉部材から押し込むだけで、移動用ケーブルが管本体内に挿入されるため、移動用ケーブル保護管を移動用ケーブルに容易に取り付けることができる。この結果、移動用ケーブルが長い場合であっても、移動用ケーブルを保護するのに要する人員（労力）や費用等を著しく軽減することが可能となる。しかも、移動用ケーブルが管本体内に挿入された状態では、開閉部材によって開口部が塞がれるため、移動用ケーブルが外部に露出せず、移動用ケーブルの損傷を防止することができる。
【００１５】
請求項２および請求項４の発明によれば、ローラを回転させることで、移動用ケーブル保護管と移動用ケーブルとが軸方向に送られながら、移動用ケーブルが移動用ケーブル保護管内に押し込まれるため、移動用ケーブル保護管を移動用ケーブルに容易に取り付けることができる。この結果、移動用ケーブルが長い場合であっても、移動用ケーブルを保護するのに要する人員や費用等を著しく軽減することが可能となる。
【００１６】
請求項３の発明によれば、第１のローラと第２のローラとの距離が調整自在なため、移動用ケーブルや移動用ケーブル保護管の外径などに応じて第１のローラと第２のローラとの距離を調整することで、多様な移動用ケーブルや移動用ケーブル保護管に対応することができる。また、移動用ケーブル保護管が取り付けられた移動用ケーブルから、移動用ケーブル保護管を取り外す場合にも、本取付装置を利用することができる。例えば、第１のローラと第２のローラとで移動用ケーブル保護管のみを挟持した状態で、移動用ケーブル保護管を軸方向に送ることで、移動用ケーブル保護管と移動用ケーブルとを容易に分離することができる。
【図面の簡単な説明】
【００１７】
【図１】この発明の実施の形態に係る移動用電力ケーブル保護管を示す正面図である。
【図２】図１の移動用電力ケーブル保護管の軸線と垂直な面での断面図であり、（ａ）は、移動用電力ケーブル保護管内に移動用電力ケーブルが挿入された状態を示し、（ｂ）は、移動用電力ケーブル保護管内に移動用電力ケーブルを押し込む状態を示し、（ｃ）は、移動用電力ケーブル保護管から移動用電力ケーブルを抜き出す状態を示す。
【図３】この発明の実施の形態に係る取付装置を示す正面図（ａ）と平面図（ｂ）である。
【図４】図３の取付装置によって、移動用電力ケーブル保護管内に移動用電力ケーブルを挿入する状態を示す概要図である。
【図５】図３の取付装置によって、移動用電力ケーブル保護管から移動用電力ケーブルを抜き出す状態を示す概要図である。
【図６】図３の取付装置を用いて、移動用電力ケーブルに移動用電力ケーブル保護管を取り付けて敷設する状態を示す概要図である。
【発明を実施するための形態】
【００１８】
以下、この発明を図示の実施の形態に基づいて説明する。
【００１９】
図１および図２は、この発明の実施の形態に係る移動用電力ケーブル保護管（移動用ケーブル保護管）１を示す正面図と断面図である。この移動用電力ケーブル保護管１は、仮設される移動用電力ケーブル（移動用ケーブル）１００を保護するための円管状の保護管であり、管本体２と開閉部材３とを備えている。ここで、この実施の形態では、電力会社において、事故や災害によって電力用機器に損傷が生じ、仮復旧用として移動用電力ケーブル１００を敷設、仮設する場合について、主として説明する。
【００２０】
管本体２は、変形自在な円管状で、軸方向に沿って延びる開口部２１が形成されている。すなわち、軸線と垂直な面での断面形状が略Ｃ字状で、Ｃ字の開口が開口部２１となっている。また、外周面には、円周方向に延びる凹状の溝部２２が、所定間隔で軸方向に沿って連続的に形成され、これにより、管本体２が蛇腹状となり、高い変形性・可撓性を有している。
【００２１】
このような管本体２の内径および開口部２１の大きさは、後述するようにして開閉部材３から移動用電力ケーブル１００を押し込んで挿入できるように設定されている。また、管本体２は、移動用電力ケーブル１００を保護できる強度を備え、かつ、床面に対して滑りやすく損傷しにくい材料、例えば硬質ポリエチレンで構成されている。
【００２２】
開閉部材３は、管本体２の開口部２１を開閉自在に塞ぐ長尺の部材であり、第１の開閉体３１と第２の開閉体３２とを備えている。第１の開閉体３１と第２の開閉体３２とは、変形性が高い材料、例えばゴム材で構成され、第１の開閉体３１は、開口部２１の一方の端縁に沿って接続され、第２の開閉体３２は、開口部２１の他方の端縁に沿って接続されている。そして、外力が作用していない状態では、図２（ａ）に示すように、第１の開閉体３１の自由端部と第２の開閉体３２の自由端部とが接して開口部２１が塞がれ、管本体２と開閉部材３とによる断面形状が円環状となる。
【００２３】
一方、図２（ｂ）に示すように、移動用電力ケーブル１００を開閉部材３から押し込むことで、第１の開閉体３１と第２の開閉体３２とが離れて開き、移動用電力ケーブル１００が開口部２１を介して管本体２内に挿入される。そして、挿入された状態では、図２（ａ）に示すように、第１の開閉体３１と第２の開閉体３２とが閉じて、開閉部材３によって開口部２１が塞がれるようになっている。さらに、移動用電力ケーブル１００が管本体２内に挿入された状態から、図２（ｃ）に示すように、移動用電力ケーブル１００を開閉部材３から押し出すことで、第１の開閉体３１と第２の開閉体３２とが離れて開き、移動用電力ケーブル１００が開口部２１を介して管本体２外に抜き出されるようになっている。つまり、開閉部材３を介して移動用電力ケーブル１００を出し入れ自在となっている。ここで、第１の開閉体３１と第２の開閉体３２の接触部・接線が直線状に延びているが、移動用電力ケーブル１００の出し入れがしやすいように、例えば、ジグザグ状にしてもよい。
【００２４】
次に、このような移動用電力ケーブル保護管１を移動用電力ケーブル１００に取り付けるための、移動用ケーブル保護管の取付装置（以下、適宜「取付装置」という）１０について説明する。
【００２５】
この取付装置１０は、図３に示すように、主として、フレーム４と、第１のガイドローラ（第１のローラ）５と、第２のガイドローラ（第２のローラ）６とを備えている。フレーム４は、第１のガイドローラ５と第２のガイドローラ６とを回転自在に支持するヤグラであり、２つの支持ポスト４１が垂直に延び、かつ対向して配設されている。この２つの支持ポスト４１には、それぞれ同じ高さに、第１の軸受け孔４１ａと第２の軸受け孔４１ｂとが形成されている。
【００２６】
第１のガイドローラ５は、回転自在で、移動用電力ケーブル保護管１を移動用電力ケーブル保護管１の軸方向に送るローラである。すなわち、円柱状で、両端部に支持軸５１が同軸に形成され、この支持軸５１が第１の軸受け孔４１ａに挿入されて、第１のガイドローラ５が回転自在に支持されている。そして、後述するようにして移動用電力ケーブル保護管１を第２のガイドローラ６とで挟持した状態で、移動用電力ケーブル保護管１を引っ張ると、第１のガイドローラ５が回転して移動用電力ケーブル保護管１を軸方向（水平方向）に送るものである。
【００２７】
第２のガイドローラ６は、回転自在で、第１のガイドローラ５と並列に配設され、第１のガイドローラ５との間に挿入された移動用電力ケーブル１００を開閉部材３から移動用電力ケーブル保護管１内に押し込みながら、移動用電力ケーブル１００を移動用電力ケーブル１００の軸方向に送るローラである。すなわち、円柱状で、両端部に支持軸６１が同軸に形成され、この支持軸６１が第２の軸受け孔４１ｂに挿入されて、第２のガイドローラ６が回転自在に支持されている。そして、後述するようにして移動用電力ケーブル１００と移動用電力ケーブル保護管１を第１のガイドローラ５とで挟持した状態で、移動用電力ケーブル１００と移動用電力ケーブル保護管１を引っ張ると、第２のガイドローラ６が回転して、移動用電力ケーブル１００を開閉部材３から移動用電力ケーブル保護管１内に押し込みながら、移動用電力ケーブル１００を軸方向（水平方向）に送るものである。
【００２８】
このような第１のガイドローラ５と第２のガイドローラ６とは、上下に対向して配設され、その距離（第１の軸受け孔４１ａと第２の軸受け孔４１ｂとのピッチ）は、移動用電力ケーブル保護管１と移動用電力ケーブル１００の外径に基づいて、第２のガイドローラ６で移動用電力ケーブル１００を開閉部材３から移動用電力ケーブル保護管１内に押し込めるように設定されている。すなわち、図４に示すように、開閉部材３を第２のガイドローラ６側に向けて移動用電力ケーブル保護管１を第１のガイドローラ５と第２のガイドローラ６との間に挿入し、さらに、移動用電力ケーブル１００を移動用電力ケーブル保護管１と第２のガイドローラ６との間に挿入に挿入する。このようにして、移動用電力ケーブル１００と移動用電力ケーブル保護管１をガイドローラ５、６とで挟持した状態で、ガイドローラ５、６が回転することで、第２のガイドローラ６によって移動用電力ケーブル１００が、開閉部材３から移動用電力ケーブル保護管１内に押し込められるようになっている。
【００２９】
また、図示していないが、２つの支持ポスト４１には、それぞれ同じ高さに、軸受け孔４１ａ、４１ｂ以外に複数の軸受け孔が形成され、支持軸５１、６１を挿入する軸受け孔を変えることで、第１のガイドローラ５と第２のガイドローラ６との距離が調整自在となっている。特にこの実施の形態では、図５に示すように、移動用電力ケーブル保護管１から移動用電力ケーブル１００を抜き出す際に、移動用電力ケーブル保護管１のみを第１のガイドローラ５と第２のガイドローラ６とで適正に挟持して送り出せるように、ガイドローラ５、６間の距離が調整可能となっている。つまり、移動用電力ケーブル保護管１への移動用電力ケーブル１００の挿入と抜き出しとを行えるように、第１のガイドローラ５と第２のガイドローラ６との距離が調整自在となっている。さらに、外径が異なる複数の移動用電力ケーブル保護管１と移動用電力ケーブル１００に対応できるように、複数の軸受け孔が形成されている。
【００３０】
このように、この実施の形態では、複数の軸受け孔を設けることで、第１のガイドローラ５と第２のガイドローラ６との距離が調整自在となっているが、次のようにしてもよい。すなわち、支持ポスト４１に対して垂直方向に移動自在な支持部材を設け、この支持部材に第１の軸受け孔４１ａを設けて、支持部材で第１のガイドローラ５を支持する。そして、支持部材を移動させることで第１のガイドローラ５も垂直方向に移動し、第１のガイドローラ５と第２のガイドローラ６との距離が調整自在となるものである。
【００３１】
次に、このような構成の取付装置１０によって、移動用電力ケーブル保護管１を移動用電力ケーブル１００に取り付けるための、移動用ケーブル保護管の取付方法（以下、適宜「取付方法」という）について説明する。
【００３２】
まず、図６に示すように、保護管ドラムＤ１から移動用電力ケーブル保護管１を引き出し、ケーブルドラムＤ２から移動用電力ケーブル１００を引き出して、移動用電力ケーブル保護管１と移動用電力ケーブル１００の先端側を取付装置１０のガイドローラ５、６間に挿入する。具体的には、移動用電力ケーブル１００の先端部を開閉部材３から移動用ケーブル保護管１の先端部内に押し込んで挿入する。そして、移動用電力ケーブル保護管１の開閉部材３が第２のガイドローラ６側に向き、移動用電力ケーブル１００が開閉部材３の直上に位置するように（第２のガイドローラ６と接するように）、移動用電力ケーブル１００が挿入された移動用電力ケーブル保護管１の先端部をガイドローラ５、６で挟持されるように挿入する。
【００３３】
次に、移動用電力ケーブル保護管１と移動用電力ケーブル１００の先端部を挿入方向（図４中矢印Ｙ１方向）に引っ張るとともに、ドラムＤ１、Ｄ２を引き出し方向に回転させる。これにより、第１のガイドローラ５と第２のガイドローラ６とが回転し、第２のガイドローラ６によって移動用電力ケーブル１００が開閉部材３から移動用電力ケーブル保護管１内に押し込まれる。このように、移動用電力ケーブル１００が移動用電力ケーブル保護管１内に順次挿入されながら、移動用電力ケーブル保護管１と移動用電力ケーブル１００とが軸方向（挿入方向）に送られる。
【００３４】
このようにして、移動用電力ケーブル保護管１が取り付けられた移動用電力ケーブル１００を床面に載せて滑らせながら、必要な長さだけ敷設、仮設する。この際、移動用電力ケーブル１００が移動用電力ケーブル保護管１で保護されており、かつ、移動用電力ケーブル保護管１が床面に対して滑りやすくなっているため、従来のようにローラを設置する必要がない。
【００３５】
一方、移動用電力ケーブル１００の仮設が不要になった場合には、移動用電力ケーブル１００から移動用電力ケーブル保護管１を取り外す。まず、図５に示すように、移動用電力ケーブル保護管１のみを第１のガイドローラ５と第２のガイドローラ６とで挟持するように、第１のガイドローラ５と第２のガイドローラ６との距離を調整する。ここで、移動用電力ケーブル１００や移動用電力ケーブル保護管１の外径や位置関係などによっては、調整しないで、移動用電力ケーブル保護管１のみをガイドローラ５、６で挟持することが可能な場合もある。
【００３６】
次に、移動用電力ケーブル１００の先端部を移動用電力ケーブル保護管１の先端部から抜き出し、移動用電力ケーブル保護管１の先端部をガイドローラ５、６間に挟持されるように挿入する。この際、移動用電力ケーブル保護管１の開閉部材３が第２のガイドローラ６に接し、移動用電力ケーブル１００が第２のガイドローラ６の上方をまたぐようにする。続いて、移動用電力ケーブル保護管１の先端部を挿入方向（図５中矢印Ｙ２方向）に引っ張る。これにより、ガイドローラ５、６が回転して、移動用電力ケーブル保護管１が軸方向（挿入方向）に送られるとともに、移動用電力ケーブル１００が第２のガイドローラ６によって上方に押し上げられて、移動用電力ケーブル保護管１の開閉部材３から外に抜き出される。そして、このようにして分離された移動用電力ケーブル保護管１と移動用電力ケーブル１００とを、それぞれドラムＤ１、Ｄ２に巻き付けいくものである。
【００３７】
以上のように、本移動用電力ケーブル保護管１によれば、移動用電力ケーブル１００を開閉部材３から押し込むだけで、移動用電力ケーブル１００が移動用電力ケーブル保護管１内に挿入されるため、移動用電力ケーブル保護管１を移動用電力ケーブル１００に容易かつ迅速に取り付けることができる。さらには、移動用電力ケーブル１００を開閉部材３から押し出すだけで、容易かつ迅速に移動用電力ケーブル１００から移動用電力ケーブル保護管１を取り外すことができる。この結果、移動用電力ケーブル１００が長い場合であっても、移動用電力ケーブル１００を保護するのに要する人員や費用等を著しく軽減することが可能となる。
【００３８】
また、移動用電力ケーブル１００が移動用電力ケーブル保護管１内に挿入された状態では、開閉部材３によって開口部２１が塞がれるため、移動用電力ケーブル１００が外部に露出せず、移動用電力ケーブル１００の損傷を防止することができる。しかも、開閉部材３を介して移動用電力ケーブル１００を移動用電力ケーブル保護管１に出し入れするだけであるため、移動用電力ケーブル保護管１が損傷することがなく、移動用電力ケーブル保護管１を再利用することができ、産業廃棄物処理費用も不要となる。
【００３９】
また、本取付装置１０および本取付方法によれば、ガイドローラ５、６が回転することで、移動用電力ケーブル保護管１と移動用電力ケーブル１００とが軸方向に送られながら、移動用電力ケーブル１００が移動用電力ケーブル保護管１内に押し込まれて挿入されるため、移動用電力ケーブル保護管１を移動用電力ケーブル１００に容易、迅速かつ連続的に取り付けることができる。つまり、移動用電力ケーブル１００を敷設しながら移動用電力ケーブル保護管１を取り付けることができる。この結果、移動用電力ケーブル１００が長い場合であっても、移動用電力ケーブル１００を保護するのに要する人員・労力や費用等を著しく軽減することが可能となる。
【００４０】
さらに、第１のガイドローラ５と第２のガイドローラ６との距離が調整自在なため、移動用電力ケーブル１００や移動用電力ケーブル保護管１の外径などに応じて第１のガイドローラ５と第２のガイドローラ６との距離を調整することで、多様な移動用電力ケーブル１００や移動用電力ケーブル保護管１に対応することができる。また、移動用電力ケーブル保護管１が取り付けられた移動用電力ケーブル１００から、移動用電力ケーブル保護管１を取り外す場合にも、本取付装置１０を利用することができる。すなわち、第１のガイドローラ５と第２のガイドローラ６とで移動用電力ケーブル保護管１のみを挟持した状態で、移動用電力ケーブル保護管１を軸方向に送るだけで、移動用電力ケーブル保護管１と移動用電力ケーブル１００とを容易かつ迅速に分離することができる。つまり、移動用電力ケーブル１００を巻き取りながら移動用電力ケーブル保護管１を取り外すことができ、人員や費用等を著しく軽減することが可能となる。
【００４１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、移動用電力ケーブル１００と移動用電力ケーブル保護管１を引っ張ることで、ガイドローラ５、６が回転するようになっているが、ガイドローラ５、６を回転させるモータおよび回転機構を備え、動力でガイドローラ５、６を回転させて、移動用電力ケーブル１００と移動用電力ケーブル保護管１を送り出すようにしてもよい。
【００４２】
また、ガイドローラ５、６が垂直方向のみに移動・調整自在となっているが、水平方向にも移動できるようにしてもよい。これにより、ガイドローラ５、６の位置関係をより複雑に調整でき、移動用電力ケーブル１００を移動用電力ケーブル保護管１内により適正、円滑に挿入することが可能となる。
【００４３】
さらに、移動用電力ケーブル１００から移動用電力ケーブル保護管１を取り外す場合に、ガイドローラ５、６で移動用電力ケーブル保護管１を挟持しているが、ガイドローラ５、６で移動用電力ケーブル１００のみを挟持して、移動用電力ケーブル保護管１と移動用電力ケーブル１００とを分離してもよい。また、移動用ケーブルが電力ケーブルの場合について説明したが、通信ケーブルなどの移動用ケーブルであってもよいことは勿論である。
【符号の説明】
【００４４】
１        移動用電力ケーブル保護管（移動用ケーブル保護管）
２        管本体
２１      開口部
３        開閉部材
３１      第１の開閉体
３２      第２の開閉体
４        フレーム
５        第１のガイドローラ（第１のローラ）
６        第２のガイドローラ（第２のローラ）
１０      取付装置
１００    移動用電力ケーブル（移動用ケーブル）
【図１】
2015061452.tif 000003
【図２】
2015061452.tif 000004
【図３】
2015061452.tif 000005
【図４】
2015061452.tif 000006
【図５】
2015061452.tif 000007
【図６】
2015061452.tif 000008